(57)【要約】【課題】互いに別々に形成された全ての部品が止ねじを使用することなく嵌め合いで組み立てられる。【解決手段】開閉部品４と軸支持部品５および前部品２が後部品３の前側に結合され、開閉機構７が後部品３の内部に装着され、開閉機構７のリンクプレート７７と開閉部品４のリンク軸４６とが互い連結された後、蓋部品６が後部品３の後側に結合され、球検出器８が蓋部品６の裏側から後部品３の内部に挿入されて蓋部品６の検出器支持部６４で支持されることによって、前部品２と後部品３と開閉部品４と軸支持部品５と蓋部品６と開閉機構７と球検出器８とが互いに組み合わされる。【選択図】図１
2006167140.tif 000002
【特許請求の範囲】
【請求項１】
前部品と後部品と開閉部品と軸支持部品と開閉機構と蓋部品と球検出器とが互いに別々に形成され、これらの前部品と後部品と開閉部品と軸支持部品と開閉機構と蓋部品と球検出器とが互いに組み合わされて構成されるパチンコ機の入賞部品であって、前部品が、入賞部品の前側意匠を形成する前面体と、前面体に前面体の前後方向への貫通孔として形成された球入口と、前面体の裏面から裏側に突出した係合部とを備え、後部品が、前面体の球入口から取り込まれた球を排出する筐体と、前部品と後部品とを結合するために筐体に設けられた前係合部と、後部品と蓋部品とを結合するために筐体に設けられた後係合部と、後部品と軸支持部品とを結合するために筐体に設けられた軸支持係合部と、開閉機構を装着するために筐体の裏面から内部に窪むように設けられた機構取付部と、球検出器の検出孔を筐体の内部に配置するために筐体に設けられた検出器受溝とを備え、開閉部品が、前面体の球入口を開閉する扉と、扉の左縁部および右縁部に設けられた軸と、扉における左縁部または右縁部に設けられたリンク棒とを備え、軸支持部品が、後部品における筐体の前側を塞ぐ被覆体と、開閉部品の軸を回転可能に支持するために被覆体に設けられた軸受孔と、軸支持部品と後部品とを結合するために被覆体に設けられた係合部とを備え、開閉機構が機構ケースの内部に電磁ソレノイドとばねとプランジャとリンクプレートとを組み付けた構造であり、蓋部品が、後部品における筐体の後側を塞ぐ蓋体と、蓋体に設けられた検出器挿入孔と、蓋体の裏面から裏側に突出した検出器支持部と、蓋部品と後部品とを結合するために蓋体に設けられた係合部とを備え、軸支持部品の係合部と後部品の軸支持係合部とが互いに係合されることによって軸支持部品と後部品とが互いに結合され、この後部品に結合された軸支持部品の軸受孔が開閉部品の軸を回転可能に支持されることによって開閉部品が後部品の前側に配置され、前部品の係合部と後部品の前係合部とが互いに係合されることによって開閉部品の扉が前部品の球入口に配置され、機構ケースの内部に電磁ソレノイドとばねとプランジャとリンクプレートとを組み付けた構造の開閉機構が後部品の後側から機構取付部に装着されることによって開閉機構のリンクプレートと開閉部品のリンク棒とが互いに連結され、蓋部品の係合部と後部品の後係合部とが互いに係合されることによって蓋部品が後部品の後側に配置され、球検出器が蓋部品の後側から検出器挿入孔を経由して後部品の検出器受溝に挿入されることによって球検出器の検出孔が後部品の内部に配置され、蓋部品の検出器支持部が球検出器を支持することによって球検出器が蓋部品および後部品に取り付けられ、前部品と後部品と開閉部品と軸支持部品と開閉機構と蓋部品と球検出器とが互いに組み合わされたことを特徴とするパチンコ機の入賞部品。
【発明の詳細な説明】
【技術分野】
【０００１】
本発明は、パチンコ機の互いに別々に形成された全ての部品が止ねじを使用することなく嵌め合いで組み立てられる入賞部品に関する。
【背景技術】
【０００２】
パチンコ機の入賞部品は、合成樹脂からなる部品本体に装着された球検出器が遊技盤に形成された逃孔に遊技盤の前側から挿入され、タッピングスクリューのような止ねじが部品本体に形成されたねじ挿入孔から遊技盤に締結されることによって、部品本体が遊技盤に取り付けられている。しかしながら、パチンコ機の機種が変わると、部品本体を成形するための成形型も全体的に新たに製作しており、不経済である。そこで、部品本体を入賞部品の前側意匠を形成する前部品と遊技盤に取り付けられる後部品という２つの部品で構成し、前部品と後部品とを止ねじで後部品の裏側から締結することによって、部品本体を形成することも考えられるが、止ねじを締結するための組立作業が面倒となるので、にわかに採用しがたいという欠点がある。
【特許文献１】特開平６−１０５９４５号公報
【発明の開示】
【発明が解決しようとする課題】
【０００３】
発明が解決しようとする問題点は、球検出器を取り付ける部品本体が前部品と後部品とで構成され、これら前部品と後部品とが止ねじで締結された場合、組立作業が面倒となるという点である。
【課題を解決するための手段】
【０００４】
本発明に係るパチンコ機の入賞部品は、前部品と後部品と開閉部品と軸支持部品と開閉機構と蓋部品と球検出器とが互いに別々に形成され、これらの前部品と後部品と開閉部品と軸支持部品と開閉機構と蓋部品と球検出器とが互いに組み合わされて構成されるパチンコ機の入賞部品であって、前部品が、入賞部品の前側意匠を形成する前面体と、前面体に前面体の前後方向への貫通孔として形成された球入口と、前面体の裏面から裏側に突出した係合部とを備え、後部品が、前面体の球入口から取り込まれた球を排出する筐体と、前部品と後部品とを結合するために筐体に設けられた前係合部と、後部品と蓋部品とを結合するために筐体に設けられた後係合部と、後部品と軸支持部品とを結合するために筐体に設けられた軸支持係合部と、開閉機構を装着するために筐体の裏面から内部に窪むように設けられた機構取付部と、球検出器の検出孔を筐体の内部に配置するために筐体に設けられた検出器受溝とを備え、開閉部品が、前面体の球入口を開閉する扉と、扉の左縁部および右縁部に設けられた軸と、扉における左縁部または右縁部に設けられたリンク棒とを備え、軸支持部品が、後部品における筐体の前側を塞ぐ被覆体と、開閉部品の軸を回転可能に支持するために被覆体に設けられた軸受孔と、軸支持部品と後部品とを結合するために被覆体に設けられた係合部とを備え、開閉機構が機構ケースの内部に電磁ソレノイドとばねとプランジャとリンクプレートとを組み付けた構造であり、蓋部品が、後部品における筐体の後側を塞ぐ蓋体と、蓋体に設けられた検出器挿入孔と、蓋体の裏面から裏側に突出した検出器支持部と、蓋部品と後部品とを結合するために蓋体に設けられた係合部とを備え、軸支持部品の係合部と後部品の軸支持係合部とが互いに係合されることによって軸支持部品と後部品とが互いに結合され、この後部品に結合された軸支持部品の軸受孔が開閉部品の軸を回転可能に支持されることによって開閉部品が後部品の前側に配置され、前部品の係合部と後部品の前係合部とが互いに係合されることによって開閉部品の扉が前部品の球入口に配置され、機構ケースの内部に電磁ソレノイドとばねとプランジャとリンクプレートとを組み付けた構造の開閉機構が後部品の後側から機構取付部に装着されることによって開閉機構のリンクプレートと開閉部品のリンク棒とが互いに連結され、蓋部品の係合部と後部品の後係合部とが互いに係合されることによって蓋部品が後部品の後側に配置され、球検出器が蓋部品の後側から検出器挿入孔を経由して後部品の検出器受溝に挿入されることによって球検出器の検出孔が後部品の内部に配置され、蓋部品の検出器支持部が球検出器を支持することによって球検出器が蓋部品および後部品に取り付けられ、前部品と後部品と開閉部品と軸支持部品と開閉機構と蓋部品と球検出器とが互いに組み合わされたことを最も主要な特徴とする。
【発明の効果】
【０００５】
本発明に係るパチンコ機の入賞部品は、開閉部品と軸支持部品および前部品が後部品の前側に結合され、開閉機構が後部品の内部に装着され、開閉機構のリンクプレートと開閉部品のリンク軸とが互いに連結された後、蓋部品が後部品の後側に結合され、球検出器が蓋部品の裏側から後部品の内部に挿入されて蓋部品の検出器支持部で支持されることによって、前部品と後部品と開閉部品と軸支持部品と開閉機構と蓋部品と球検出器とが互いに組み合わされるので、前部品と後部品と軸支持部品と開閉機構と球検出器とが止ねじを使用することなく嵌め合いで入賞部品として組み立てられることができ、組み立てられた入賞部品においては、前部品の係合部が後部品の前係合部から取り外されることによって、前部品が後部品から取り外されるので、前面体の意匠的な形状が変更された別の前部品が上記後部品から取り外された前部品に置換されて後部品に取り付けられることによって、前側から見た意匠の異なる入賞部品として再生することができるという利点がある。
【発明を実施するための最良の形態】
【０００６】
図１−図７は、発明を実施するための最良の形態である。図１は、パチンコ機のアタッカまたは大入賞口と呼ばれる開閉部品４を有する入賞部品１を分解して示す。図２は、開閉部品４と軸支持部品５との組み立てられた後部品３と前部品２とを分解して前側から示す。図３は、前部品２と後部品３と開閉部品４と軸支持部品５とが互いに組み立てられた形態を前側から示す。図４は、開閉機構７を分解して示す。図５は、組み立てられた開閉機構７と後部品３とを分解して示す。図６は、遊技盤１２０に取り付けられた入賞部品１を縦方向に切断した内部を示す。図７は、遊技盤１２０に取り付けられた入賞部品１の外観を示す。この明細書において、「前」、「後」、「裏」、「左」、「右」、「上」、「下」の方向は、図７の状態に入賞部品１および遊技盤１２０を置いて矢印Ａで示す前側から見た場合に特定される方向である。「後」と「裏」とは同じ方向である。
【０００７】
図１を参照し、入賞部品１の構造について説明する。入賞部品１は、前部品２と後部品３と開閉部品４と軸支持部品５と蓋部品６と開閉機構７と球検出器８とが、別々に形成され、止ねじを使用することなく、互いに嵌め合いで組み合わせられて構成される。前部品２は、合成樹脂により、前面体１１、球入口１２、周壁１３、係合部１４、残渣孔１５、軸受被覆部１６、取付孔１７を一体に備えた形状に構成される。前部品２は、例えば、溶融した合成樹脂を図外の前部品成形型（前部品２を成形するための成形型）に流し込むことによって、上記一体な形状に構成される。前面体１１は、入賞部品１の前側の意匠を形成する板状である。球入口１２は、前面体１１の中央に位置し、前面体１１の前後方向に貫通した横長な方形である。周壁１３は、前面体１１の裏面から後側に突出し、球入口１２の周囲を囲む環状である。前部品２を前側から見た場合、周壁１３は横長な方形である。周壁１３における上縁部の下面は、球入口１２の上縁部と同一の面内に位置する。周壁１３における上縁部、左縁部、右縁部は、球入口１２における上縁部、左縁部、右縁部から、前面体１１の裏面と平行な方向に離れる。係合部１４は、前部品２と後部品３とを結合するものであって、弾性片１８とフック１９とを備える。弾性片１８は、周壁１３の左縁部の裏面および右縁部の裏面から後側に直線的に突出した短冊状である。左側に位置する弾性片１８は、右側に位置する弾性片１８よりも下部に位置しており、前部品２を後部品３に組み合わせる場合において、前部品２の上下方向の向きが間違えられて組み立てられるのを防止する。フック１９は、弾性片１８の後端部から互いに相対峙する方向に突出する。残渣孔１５は、前部品成形型におけるフック１９を形成する移動型要素が引き抜かれた跡であって、前面体１１に前後方向への貫通孔として形成される。軸受被覆部１６は、球入口１２の左縁部および右縁部に位置し、前面体１１の前面から前側に半円形に突出する。左側に位置する軸受被覆部１６は、裏側および球入口１２の側が開口し、前側および左側が塞がれた形状である。右側に位置する軸受被覆部１６は、裏側および球入口１２の側が開口し、前側および右側が塞がれた形状である。取付孔１７は、入賞部品１を遊技盤に止ねじで取り付けるための孔であって、前面体１１の左端部および右端部に位置し、前面体１１の前後方向への貫通孔である。
【０００８】
後部品３は、合成樹脂により、筐体２１、隔壁２２、内周壁２３、球踊場２４、球導出口２５、球誘導壁２６、貫通孔２７、前係合部２８、後係合部２９、軸支持係合部３０、残渣孔３１、除去部３２、機構取付部３３、位置決め突起３４、リブ３５を一体に備えた形状に構成される。後部品３は、例えば、溶融した合成樹脂を図外の後部品成形型（後部品３を成形するための成形型）に流し込むことによって、上記一体な形状に構成される。筐体２１は、前部品２における周壁１３の裏面に後側から接触する大きさの方形な前後方向に貫通する内部空間を囲む筒状である。隔壁２２は、筐体２１の内部空間を前後に仕切るように、筐体２１に設けられた板状である。内周壁２３は、隔壁２２の前側に軸支持部品５で塞がれる左空間部と軸支持部品５で塞がれる右空間部と球踊場２４とを区分するものであって、筐体２１の上壁と隔壁２２とに連接する。球踊場２４は、内周壁２３の下縁部の中央に設けられ、内周壁２３の下縁部における上面から下方に窪む形状であって、前後方向および上方に開口した溝である。内周壁２３で囲まれた内側の空間部は、球踊場２４に球を取り込むための空間部であって、後部品３を前側から見た場合、前部品２の球入口１２よりも小さな方形である。球導出口２５は、球踊場２４によって前側から後側に誘導された球を隔壁２２よりも後側に排出する部分であって、内周壁２３で囲まれた隔壁２２に前後方向への貫通孔として形成される。球誘導壁２６は、球踊場２４から球導出口２５を経由して隔壁２２よりも後側に排出された球を隔壁２２の裏面と平行する一側方に誘導するものであって、隔壁２２の裏面から後側に突出する。貫通孔２７は、筐体２１の左壁および右壁に形成される。
【０００９】
前係合部２８は、前部品２と後部品３とを結合するものであって、筐体２１の左壁の外側面および右壁の外側面に、貫通孔２７よりも前側に位置して設けられ、案内溝３６と係合面３７を備える。筐体２１の右側に位置する前係合部２８を例として詳述すると、案内溝３６は、筐体２１の右壁の外側面から内部に窪み、前後方向および右側に開口する。案内溝３６における筐体２１の右壁の外側面は、前側から後側に行くにしたがって徐々に右側に突出する斜面である。係合面３７は、案内溝３６における筐体２１の右壁の外側面としての斜面が筐体２１の右壁に形成された貫通孔２７につながる部分によって形成される。つまり、係合面３７は、貫通孔２７における案内溝３６の側に位置する内面によって形成される。筐体２１の左側に位置する前係合部２８は、筐体２１の右側に位置する前係合部２８を左右方向で反転した、図５に示す形状である。後係合部２９は、後部品３と蓋部品６とを結合するものであって、筐体２１の左壁の外側面および右壁の外側面に、貫通孔２７よりも後側に位置して設けられ、案内溝３８と係合面３９を備える。筐体２１の右側に位置する後係合部２９を例として詳述すると、案内溝３８は、筐体２１の右壁の外側面から内部に窪み、前後方向および右側に開口する。案内溝３８における筐体２１の右壁の外側面は、後側から前側に行くにしたがって徐々に右側に突出する斜面である。係合面３９は、案内溝３８における筐体２１の右壁の外側面としての斜面が筐体２１の右壁に形成された貫通孔２７につながる部分によって形成される。つまり、係合面３９は、貫通孔２７における案内溝３８の側に位置する内面によって形成される。筐体２１の左側に位置する後係合部２９は、筐体２１の右側に位置する後係合部２９を左右方向で反転した、図５に示す形状である。軸支持係合部３０は、後部品３と軸支持部品５とを結合するものであって、筐体２１の上壁の外側面に、左右に位置して設けられ、案内溝４０と係合面４１とを備える。案内溝４０は、筐体２１の上壁の外側面から内部に窪み、上壁の前面と上面とに開口する。係合面４１は、案内溝４０の後端から下方に延設される。残渣孔３１は、後部品成形型における係合面４１を形成する移動型要素が引き抜かれた跡であって、案内溝４０の後端部に形成される。除去部３２は、筐体２１の上壁に設けられ、球導出口２５の真上に位置し、筐体２１の上壁から前側に窪み、上下方向および裏側に開口する。機構取付部３３の構造は、図５で説明する。位置決め突起３４は、筐体２１の左壁の内側面および右壁の内側面から左壁の前面および右壁の前面よりも前側に突出する。リブ３５は、筐体２１の下壁の内側面および縦壁に設けられる。
【００１０】
開閉部品４は、合成樹脂により、扉４３、延設部４４、軸４５、リンク棒４６を一体に備えた形状に構成される。開閉部品４は、例えば、溶融した合成樹脂を図外の開閉部品成形型（開閉部品４を成形するための成形型）に流し込むことによって、上記一体な形状に構成される。扉４３は、前部品２の球入口１２を開閉する板状であって、球入口１２に相似し、球入口１２よりも小さい相似形である。延設部４４は、扉４３の左縁部および右端部から裏側に直線的に突出し、上部から下部に行くにしたがって徐々に扉４３から裏側に突出する寸法が大きくなる、板状である。開閉部品４を側面から見た場合、延設部４４は、三角形である。延設部４４の下端部は、扉４３の下端部よりも下方に突出する。軸４５は、延設部４４と扉４３との連接した部分に位置し、左側および右側に位置する延設部４４から外側に向かい、扉４３の前面と平行な方向に直線的に突出する。リンク棒４６は、右側に位置する延設部４４の下端部から外側に向かい、軸４５と平行な方向に直線的に突出する。リンク棒４６は、左側に位置する延設部４４の下端部から外側に向かい、軸４５と平行な方向に直線的に突出してもよい。つまり、リンク棒４６は、いずれか一方の延設部４４に設ければよい。
【００１１】
軸支持部品５は、合成樹脂により、被覆体４８、軸受部４９、軸受孔５０、延設部５１、係合部５２、残渣孔５３、逃部５４、位置決め孔５５を一体に備えた形状に構成される。軸支持部品５は、例えば、溶融した合成樹脂を図外の軸支持部品成形型（軸支持部品５を成形するための成形型）に流し込むことによって、上記一体な形状に構成される。軸支持部品５は、後部品３における前面の左右に取り付けられるように、一対である。被覆体４８は、後部品３における左空間部または右空間部の前面を覆う方形な板状である。軸受部４９は、被覆体４８の左側または右側に位置する内縁部で上下方向の中間部に位置し、被覆体４８の前面から前側に向かい、半円形に突出する。軸受孔５０は、開閉部品４の軸４５を回転可能に支持する孔であって、軸受部４９における被覆体４８の内縁部の側に位置する端面から内部に窪む行き止まり孔として、軸受部４９に形成される。延設部５１は、被覆体４８の左側または右側に位置する内縁部で上部に位置し、被覆体４８の内端面から突出する、方形な板状である。係合部５２は、後部品３と軸支持部品５とを結合するものであって、被覆体４８の上部に設けられ、弾性片５６とフック５７とを備える。弾性片５６は、被覆体４８の裏面から後側に直線的に突出した短冊状である。フック５７は、弾性片５６の後端部から下方に突出する。残渣孔５３は、軸支持部品成形型におけるフック５７を形成する移動型要素が引き抜かれた跡であって、被覆体４８に前後方向への貫通孔として形成される。逃部５４は、前部品２の弾性片１８を逃げる凹部であって、被覆体４８の左側または右側に位置する外縁部に位置し、被覆体４８の外端面から内部に窪み、被覆体４８の外側と前側および後側に開口する。位置決め孔５５は、後部品３と軸支持部品５とを組み合わせる場合、後部品３の位置決め突起３４に嵌め込まれることによって、後部品３と軸支持部品５との位置を正確に合わせるための孔であって、被覆体４８の下部における右隅または左隅に前後方向への貫通孔として形成される。左右の軸支持部品５は、軸支持部品５を前側から見た場合、軸受部４９と軸受孔５０と延設部５１と係合部５２と残渣孔５３と逃部５４および位置決め孔５５が、被覆体４８に対し、左右対称となる位置に設けられた構造である。
【００１２】
蓋部品６は、合成樹脂により、蓋体５９、球案内壁６０、残渣孔６１；６２、検出器挿入孔６３、検出器支持部６４、係合部６５、機構収納部６６、突起６７、貫通孔６８、配線通路６９を一体に備えた形状に構成される。蓋部品６は、例えば、溶融した合成樹脂を図外の蓋部品成形型（蓋部品６を成形するための成形型）に流し込むことによって、上記一体な形状に構成される。蓋体５９は、後部品３における筐体２１の後側を塞ぐ大きさである。蓋部品６を前側から見た場合、蓋体５９は横長な方形である。球案内壁６０は、後部品３と蓋部品６とが組み合わせられることによって、後部品３の球誘導壁２６よりも上部に配置され、後部品３の球踊場２４から球導出口２５を経由して球誘導壁２６の上に排出された球を側方に誘導するものであって、蓋体５９から前側に突出する。後部品３を上から見た場合、球案内壁６０は、三角形の板状である。球案内壁６０の後縁部が残渣孔６１に配置され、この残渣孔６１に配置された球案内壁６０の後縁部の右側が蓋体５９に連接されて、球案内壁６０が蓋体５９に対し片持ち梁として設けられる。よって、球案内壁６０は、蓋体５９に連接された部分を作用点として前後方向に撓む弾性を保有する。残渣孔６１は、蓋部品成形型における球案内壁６０を形成する移動型要素が引き抜かれた跡であって、球案内壁６０の上縁部と左縁部および下縁部を囲むように、蓋体５９に前後方向への貫通孔として形成される。検出器挿入孔６３は、球検出器８を蓋体５９の裏側から前側に挿入する孔であって、球案内壁６０よりも左側に位置し、蓋体５９に、蓋体５９の前後方向への貫通孔として形成される。検出器支持部６４は、球検出器８を蓋部品６に支持するものであって、弾性片６４ａとフック６４ｂとを備える。弾性片６４ａは、検出器挿入孔６３の左側に位置し、蓋体５９の裏面から裏側に直線的に突出した短冊状である。フック６４ｂは、弾性片６４ａの後端部から右側に突出する。検出器支持部６４は、検出器挿入孔６３の右側に位置するように設けてもよい。検出器支持部６４を検出器挿入孔６３の右側に位置するように設けた場合、フック６４ｂは、弾性片６４ａの後端部から左側に突出する。係合部６５は、後部品３と蓋部品６とを結合するものであって、弾性片７０とフック７１とを備える。弾性片７０は、蓋体５９の左縁部および右縁部から前側に直線的に突出した短冊状である。左側に位置する弾性片７０は、右側に位置する弾性片７０よりも下部に位置しており、蓋部品６を後部品３に組み合わせる場合において、蓋部品６の上下方向の向きが間違えられて組み立てられるのを防止する。フック７１は、弾性片７０の前端部から互いに相対峙する方向に突出する。残渣孔６２は、蓋部品成形型におけるフック７１を形成する移動型要素が引き抜かれた跡であって、蓋体５９に前後方向への貫通孔として形成される。機構収納部６６は、後部品３と蓋部品６とが組み合わせられた場合、開閉機構７における機構ケース７３の下部の裏側を収納する部分であって、蓋体５９の前面から後側に窪み、右側に位置する残渣孔６２の真下に位置し、蓋体５９に設けられる。蓋部品６を前側から見た場合、機構収納部６６は横長な方形である。突起６７は、後部品３と蓋部品６とが組み合わせられた場合、開閉機構７の軸受孔８６に裏側からあてがわれるものであって、機構収納部６６の奥に左右に位置して設けられ、機構収納部６６を囲む側壁と背壁とが連接する左右の隅部から前側に突出する。貫通孔６８は、機構収納部６６における背壁に設けられる。配線通路６９は、後部品３と蓋部品６とが組み合わせられた場合、開閉機構７における電磁ソレノイド７４の配線を通す部分であって、右側に位置する機構収納部６６の真上に位置し、蓋体５９の上縁部に設けられる。配線通路６９は、蓋体５９の上面から下部に向けて窪み、前後方向および上方に開口した溝である。
【００１３】
球検出器８は、合成樹脂からなる板状の検出器ボディ１０５の前部に検出孔１０６を上下方向への貫通孔として備え、検出器ボディ１０５の内部に電気的な検出要素を備え、検出器ボディ１０５の後部に配線１０８の接続されたコネクタ１０９を備え、配線１０８から検出要素に電力が供給され、検出素子が検出孔１０６に電界を形成した状態において、パチンコ球と呼ばれる球が検出孔１０６を上方から下方に通過すると、検出孔１０６の電界が変化し、その変化を検出要素が検出信号として配線１０８に出力する。
【００１４】
図１乃至図３を参照し、後部品３と開閉部品４と左右の軸支持部品５との組立方について説明する。図１において、例えば、左右の軸支持部品５のどちらが先に後部品３に取り付けられてもよいが、開閉部品４が右側にリンク棒４６を有しているので、左の軸支持部品５が後部品３に取り付けられ、開閉部品４が左の軸支持部品５に取り付けられた後、右の軸支持部品５が後部品３に取り付けられると、リンク棒４６が邪魔にならず、組立作業がやりやすい。左の軸支持部品５は、後部品３に次のように取り付けられる。左の軸支持部品５における係合部５２のフック５７が後部品３における軸支持係合部３０の案内溝４０に挿入されて係合面４１の方向に移動されるのに伴い、左の軸支持部品５の位置決め孔５５が、後部品３における左の位置決め突起３４に前側から嵌め込まれ、フック５７が案内溝４０から係合面４１の後側に落ち込み、フック５７が前側に抜けないように係合面４１に係合し、左の軸支持部品５における被覆体４８の周縁部が後部品３における筐体２１と内周壁２３および左下のリブ３５の前面に接触し、左の軸支持部品５が後部品３の左空間部を塞いで後部品３の前側に取り付けられる。その後、開閉部品４の左の軸４５が左の軸支持部品５における軸受孔５０に右側から挿入される。そして、右の軸支持部品５における軸受孔５０が開閉部品４の右の軸４５に右側から挿入される。その状態のまま、右の軸支持部品５における係合部５２のフック５７が後部品３における軸支持係合部３０の案内溝４０に挿入されて係合面４１の方向に移動されるのに伴い、右の軸支持部品５の位置決め孔５５が、後部品３における右の位置決め突起３４に前側から嵌め込まれ、フック５７が案内溝４０から係合面４１の後側に落ち込んで係合面４１に前側に抜けないように係合し、右の軸支持部品５における被覆体４８の周縁部が後部品３における筐体２１と内周壁２３および右下のリブ３５の前面に接触し、右の軸支持部品５が後部品３の右空間部を塞いで後部品３の前側に取り付けられる。このように左右の軸支持部品５と開閉部品４とが後部品３に組み立てられると、図２に示す形態となる。
【００１５】
図２において、前部品２が後部品３に前側から取り付けられる。それには、前部品２における左右の係合部１４のフック１９が、左右の軸支持部品５の前側から逃部５４を経由して後部品３における左右の前係合部２８の案内溝３６に挿入されて係合面３７の方向に移動されるのに伴い、前部品２のフック１９が案内溝３６から係合面３７の後側に落ち込んで係合面３７に前側に抜けないように係合する。これによって、図３に示すように、前部品２が左右の軸支持部品５を覆い隠し、前部品２と後部品３とが互いに組み立てられ、開閉部品４の扉４３が前部品２における球入口１２に取り込まれて取入口１２を閉じた状態となる。後部品３と蓋部品６と開閉機構７と球検出器８との組立方については、図５および図６で後述する。
【００１６】
図４を参照し、開閉機構７の構造について説明する。開閉機構７は、機構ケース７３、電磁ソレノイド７４、ばね受座７５、ばね７６、リンクプレート７７、プランジャ７８を備え、機構ケース７３の内部に、電磁ソレノイド７４、ばね受座７５、ばね７６、リンクプレート７７、プランジャ７８とを組み付けた構造である。機構ケース７３は、合成樹脂により、左側壁７９、右側壁８０、上壁８１、後壁８２、延設部８３、連結壁８４、係合溝８５、軸受孔８６、貫通孔８７、配線逃部８８を一体に備えた形状に構成される。機構ケース７３は、例えば、溶融した合成樹脂を図外の機構ケース成形型（機構ケース７３を成形するための成形型）に流し込むことによって、上記一体な形状に構成される。左側壁７９および右側壁８０は、電磁ソレノイド７４を押し込むことが可能な寸法で、互いに、左右に相対峙した、同じ大きさの板状である。上壁８１の左端部が左側壁７９の上縁部に結合され、上壁８１の右端部が右側壁８０の上縁部に結合する。後壁８２の左端部が左側壁７９の後縁上部に結合され、後壁８２の右端部が右側壁８０の後縁上部に結合する。延設部８３は、左側壁７９の後縁下部および右側壁８０の後縁下部から後側に直線的に、互いに平行して、突出した板状である。連結壁８４の左端部が左側に位置する延設部８３の上縁部に結合し、連結壁８４の右端部が右側に位置する延設部８３の上縁部に結合し、連結壁８４の前端部が後壁８２の下縁部に結合する。係合溝８５は、開閉機構７が図５に示す後部品３の機構取付部３３に装着される場合、機構取付部３３のガイド１１７に嵌め込まれる部分であって、後壁８２の左端部および右端部に設けられる。左側に位置する係合溝８５は、後壁８２の左端部における上面から内部に平行に窪むとともに後壁８２の左端部における側面から内部に平行に窪む、前後方向に延びた階段形状である。右側に位置する係合溝８５は、後壁８２の右端部における上面から内部に平行に窪むとともに後壁８２の右端部における側面から内部に平行に窪む、前後方向に延びた階段形状である。軸受孔８６は、リンクプレート７７の軸１０２を嵌め込む部分であって、左側および右側に位置する延設部８３に、延設部８３の後端面から内部に窪み、左右方向に開口した形状に設けられる。貫通孔８７は、左側壁７９および右側壁８０の中央に形成される。配線逃部８８は、後壁８２に、後壁８２の上端面から内部に窪み、前後方向に貫通した形状に設けられる。
【００１７】
電磁ソレノイド７４は、電力が供給されることによって磁力を発生する円筒状のコイル８９と、コイル８９で発生した磁力を収束させて強くするコア９０と、コア９０の下部およびコイル８９の内部に貫通するプランジャ挿入孔９１とを備える。ばね受座７５は、電磁ソレノイド７４の下部に配置されて、ばね７６の上端部を受け止めるものであって、プランジャ挿入孔９２を中央に備えた、金属からなる環状である。ばね７６は、コイルスプリングにより形成される。リンクプレート７７は、合成樹脂により、ばね受体９３、貫通孔９４、周壁９５、突起９６、ストッパ９７、プランジャ嵌合孔９８、アーム部９９、係合溝１００、延設部１０１、軸１０２を一体に備えた形状に構成される。リンクプレート７７は、例えば、溶融した合成樹脂を図外のリンクプレート成形型（リンクプレート７７を成形するための成形型）に流し込むことによって、上記一体な形状に構成される。ばね受体９３は、リンクプレート７７を上方から見た場合、方形な板状である。貫通孔９４は、プランジャ７８を容易に挿入する大きさの孔であって、ばね受体９３の中央に、上下方向に貫通する孔として形成される。周壁９５は、ばね受体９３における貫通孔９４の周囲における上面に接触したばね７６の位置がずれることがないように、ばね７６の下端部を支持するものであって、ばね受体９３の上面に、ばね受体９３の上面から上方に突出するとともに貫通孔９４を囲む環状の形状に設けられる。貫通孔９４と周壁９５との間に存在するばね受体９３の上面が、ばね７６の下端部と接触する面となる。突起９６は、ばね受体９３から貫通孔９４の内部に突出し、貫通孔９４の中心を通る１本の直線上に配置された、一対である。一対の突起９６の間における隙間は、プランジャ７８の外径よりも大きい寸法である。ストッパ９７は、ばね受体９３の下面に、一対の突起９６よりも後側に位置して貫通孔９４を跨いで設けられる。プランジャ嵌合孔９８は、プランジャ７８の鍔１０３の一部が挿入される部分であって、ストッパ９７に、ストッパ９７の上面から内部に窪み、ストッパ９７を前後方向に貫通する形状で、設けられる。アーム部９９は、ばね受体９３の前縁部から前側に直線的に突出し、その突出端から上方に向けて斜めに直線的に突出する形状である。係合溝１００は、開閉機構７が後部品３に組み合わせられる場合、後部品３に組み合わせられた開閉部品４のリンク棒４６に嵌め込まれる部分であって、アーム部９９の先端部に、アーム部９９の先端部から内部に窪み、上下方向に開口する形状である。延設部１０１は、ばね受体９３の後部における左端部および右端部から後側に、互いに平行して、突出する。軸１０２は、左側に位置する延設部１０１と右側に位置する延設部１０１とに設けられる。左側に位置する軸１０２は、左側に位置する延設部１０１の左側面から左側に直線的に突出する。右側に位置する軸１０２は、右側に位置する延設部１０１の右側面から右側に直線的に突出する。左側に位置する軸１０２および右側に位置する軸１０２は、左右方向の１本の直線上に位置し、同軸状である。プランジャ７８は、鉄のような強磁性を有する材料からなる直線的な棒状である。プランジャ７８の下端部には、鍔１０３が、プランジャ７８の径方向外側に突出する。
【００１８】
図４において、開閉機構７の組立方について説明する。電磁ソレノイド７４のコイル８９から延びた図外の配線が左側壁７９と右側壁８０と上壁８１および後壁８２で囲まれた空間から配線逃部８８を通過して機構ケース７３の外側に引き出され、電磁ソレノイド７４のコア９０が機構ケース７３の左側壁７９と右側壁８０と上壁８１および後壁８２で囲まれた空間に押し込まれて左側壁７９と右側壁８０と上壁８１および後壁８２に接触され、電磁ソレノイド７４が機構ケース７３の内部に装着される。これによって、機構ケース７３の左側壁７９と右側壁８０と上壁８１および後壁８２が、外側から内側に向けて復元しようとする弾性力で、電磁ソレノイド７４のコア９０を脱落しないように支持する。リンクプレート７７における左右の延設部１０１が機構ケース７３における左右の延設部８３の内側に嵌め込まれ、リンクプレート７７における左右の軸１０２が機構ケース７３における左右の軸受孔８６に機構ケース７３の後側から嵌め込まれる。この場合、軸１０２が延設部８３における軸受孔８６の開口を形成する部分を押し広げて軸受孔８６に嵌め込まれた後、当該延設部８３の開口を形成する部分が軸受孔８６の開口を狭める方向に復元することによって、軸１０２が軸受孔８６から抜けないように軸受孔８６に回転可能に装着される。次に、ばね７６がリンクプレート７７における周壁９５の内側のばね受体９３に搭載され、ばね受座７５がばね７６の上端部に重ね合わされ、リンクプレート７７が軸１０２を中心として上方に回転操作され、ばね受座７５がプランジャ挿入孔９１の周囲におけるコア９０の下面に接触し、ばね７６がばね受座７５とばね受体９３との間に圧縮され、リンクプレート７７のばね受体９３が電磁ソレノイド７４よりも下部に突出している機構ケース７３における左側壁７９と右側壁８０との間の空間に下部から左側壁７９および右側壁８０に接触しない状態で配置される。その状態において、プランジャ７８がリンクプレート７７の下部から貫通孔９４、ばね７６の内部空間、ばね受座７５のプランジャ挿入孔９２を順に経由して電磁ソレノイド７４のプランジャ挿入孔９１に挿入される。そして、プランジャ７８における鍔１０３の周縁の一部がプランジャ嵌合孔９８に前側から挿入される。これによって、上記ばね７６がばね受座７５とばね受体９３との間に圧縮された状態でプランジャ７８を下方に向けて押し、プランジャ７８がばね７６による弾性作用下でリンクプレート７７に支持され、プランジャ挿入孔９１から電磁ソレノイド７４の内部に挿入されているプランジャ７８の先端部が電磁ソレノイド７４に接触し、リンクプレート７７のばね受体９３が電磁ソレノイド７４よりも下部に存在する機構ケース７３における左側壁７９と右側壁８０との間の空間に配置され、リンクプレート７７のアーム部９９が機構ケース７３よりも前側に突出し、開閉機構７が図５に示す形態に組み立てられる。
【００１９】
図５を参照し、後部品３の後側の構造について説明する。球誘導壁２６の左側には、球出口１１１が後側から内部に窪み上下方向に開口する形態に設けられ、検出器受溝１１２が球出口１１１の真下に設けられる。検出器受溝１１２は、隔壁２２の裏面から裏側に突出した隔壁１１３と球出口１１１の右縁部から下部に突出した縦壁１１４とに、左右方向に相対峙し、球検出器８を後部品３の後側から挿入し得る形態に形成される。機構取付部３３は、隔壁２２と筐体２１の上壁と右壁と下壁と隔壁２２の裏面から裏側に突出し仕切壁１１５とで囲まれて筐体２１の後側に開口した箱形の空間を備え、当該空間の前側に存在する隔壁２２に前後方向に貫通するように形成されたアーム挿入孔１１６を備え、該空間の上側に存在する筐体２１の上壁に形成されたガイド１１７および逃部１１８を備える。ガイド１１７は、開閉機構７の係合溝８５を嵌め込む部分であって、筐体２１の上壁に後側から内部に窪み、上下方向に開口し、左右に相対峙する形態である。逃部１１８は、ガイド１１７の前縁部から筐体２１の上壁の内部の窪み、上下方向に開口する形態である。
【００２０】
図５において、開閉機構７の後部品３への組立方について説明する。開閉機構７のアーム部９９が後部品３の後側から機構取付部３３の空間に挿入されてアーム挿入孔１１６を経由して隔壁２２よりも前側に突出され、開閉機構７における機構ケース７３およびリンクプレート７７が後部品３の後側から機構取付部３３の空間に挿入される。この場合、開閉機構７の係合溝８５が機構取付部３３のガイド１１７に後側から嵌め込まれて前側に移動し、機構ケース７３の上壁８１が機構取付部３３の上壁に衝突し、機構ケース７３の左側壁７９および右側壁８０が機構取付部３３における筐体２１の左壁と下壁および仕切壁１１５に接触し、開閉機構７が機構取付部３３から後側に抜けないように機構取付部３３に装着される。このように、開閉機構７が機構取付部３３に装着されるのに伴い、図６に示すように、隔壁２２よりも前側に突出したアーム部９９の係合溝１００と後部品３に取り付けられている開閉部品４のリンク棒４６とが互いに嵌り合い、リンクプレート７７のストッパ９７が筐体２１の下壁に接触する。このストッパ９７の筐体２１の下壁に接触によって、電磁ソレノイド７４の内部におけるプランジャ７８が電磁ソレノイド７４から離れて電磁ソレノイド７４の中心線上に配置される。その後、蓋部品６の係合部６５が後部品３の側に向けられ、係合部６５の左右のフック７１が後部品３における左右の後係合部２９の案内溝３８に後側から挿入されて係合面３９の方向に移動されるのに伴い、左右のフック７１が案内溝３８から貫通孔２７に落ち込んで係合面３９の後側に抜けないように係合し、蓋部品６の蓋体５９が後部品３における上壁と左壁と右壁および下壁の後面に接触し、蓋部品６が後部品３の裏側を覆い隠し、後部品３と蓋部品６とが互いに組み立てられる。これによって、図６および図７に示すように、前部品２と後部品３と開閉部品４と軸支持部品５と蓋部品６と開閉機構７とが互いに組み立てられた形態となる。
【００２１】
そして、図１に示す球検出器８の検出孔１０６が蓋部品６の側に向けられ、球検出器８が蓋部品６の後側から検出器挿入孔６３を経由して図５に示す検出器受溝１１２に挿入されるのに伴い、図１の係合部６４のフック６４ｂが球検出器８のコネクタ１０９の設けられた側の裏面に係合し、球検出器８が後部品３および蓋部品６に取り付けられ、配線１０８が蓋部品６から後側に突出する。これによって、前部品２と後部品３と開閉部品４と軸支持部品５と蓋部品６と開閉機構７と図１の球検出器８とが、止ねじを使用することなく、互いに嵌め合いで組み合わせられ、入賞部品１が図６および図７に示すように、止ねじを操作するドライバーのような工具を使用することなく、組み立てることができるという利点がある。組み立てられた入賞部品１において、図１に示す係合部１４が前係合部２８から前側に取り外されることによって、前部品２が後部品３から取り外される。したがって、前部品２において、球入口１２、周壁１３、係合部１４、残渣孔１５、軸受被覆部１６の位置が変わることなく、前面体１１の意匠的な形状が変更され、この前面体１１の意匠的な形状が変更された別の前部品２が上記後部品３から取り外された前部品２に置換されて後部品３に取り付けられることによって、前側から見た意匠の異なる入賞部品１として再生することができるという利点がある。
【００２２】
図６において、入賞部品１の蓋部品６が遊技盤１２０に形成された部品逃孔１２１に前側から挿入され、前部品２の裏面が部品逃孔１２１を覆い隠し遊技盤１２０の前面に接触し、止ねじ１２２が前部品２における取付孔１７から遊技盤１２０に締結され、開閉部品４が球入口１２を閉じ、入賞部品１が遊技盤１２０に取り付けられる。その状態において、電磁ソレノイド７４が電力の供給を受けてプランジャ７８を吸引すると、リンクプレート７７が軸１０２を中心として上方に回転し、係合部１４における係合溝１００の下部を形成する下縁部がリンク棒４６を持ち上げるのに伴い、開閉部品４が軸４５を中心として球入口１２から前側に移動して仮想線で示すように斜めに開き、球入口１２が開口される。そして、遊技盤１２０の前面に沿って落下した球が開放された開閉部品４の扉４３で受け止められて球入口１２に取り込まれる。
【００２３】
図７において、前部品２の前面に仮想線で示す化粧板Ｌを貼付することによって、化粧板Ｌが残渣孔１５を覆い隠すことができる。化粧板Ｌは、合成樹脂からなる厚さの薄いシートの裏面に入賞部品１の意匠を表現する文字や図柄などが印刷され、その印刷層の裏面に両面粘着材が設けられ、両面粘着材の裏面に剥離紙が設けられた、所謂、貼付シールと呼ばれるものであって、剥離紙が剥ぎ取られ、両面粘着材の裏面が前部品２の前面に押し付けられることによって、化粧板Ｌが前部品２の前面に貼付される。
【産業上の利用可能性】
【００２４】
図８乃至図１２は、球検出器８を２個有する入賞部品１の別の形態である。図８は、後部品３と蓋部品６および球検出器８を分解して前側から示す。図９は、蓋部品６と開閉機構７と球検出器８およびカバー１２５を分解して裏側から示す。図１０は、開閉機構７を示す。図１１は、開閉機構７の取り付けられた蓋部品６とカバー１２５とを分解して裏側から示す。図１２は、カバー１２５の取り付けられた蓋部品６を裏側から示す。
【００２５】
図８および図９を参照し、最良の形態と異なる部分について説明する。蓋部品６では、図１の球案内壁６０と残渣孔６１が設けられず、振分突起１２６と貫通孔１２７と残渣孔１２８と２個の検出器挿入孔６３と２個の検出器支持部６４とが設けられ、裏部品６の裏側に振分機構１２９が設けられる。２個の検出器挿入孔６３は、互いに、左右に並べられて設けられる。振分突起１２６は、図１の球案内壁６０に類似する機能を有し、２個の検出器挿入孔６３の真上に位置し、振分突起１２６の左右方向の両側から中央に行くにしたがって徐々に蓋体５９の前面から前側に突出する斜面を備え、裏部品６を上部から見た場合、二等辺三角形の形状である。貫通孔１２７は、振分突起１２６の右側に位置し、蓋体５９に前後方向に貫通する。貫通孔１２７には、振分機構１２９の可動体１４０が蓋体５９の裏側から前側に突出するように挿入される。
【００２６】
後部品３の裏側の構造、蓋部品６の裏側の構造、振分機構１２９、カバー１２５の構造について説明する。後部品３は、球誘導壁２６に球出口１１１と検出器受溝１１２とを左右に並べられて２個ずつ設けた点が、最良の形態と異なる。蓋部品６は、仕切壁１３３を、蓋体５９の裏面から後側に直線的に突出し、左右方向に相対峙し、２個の検出器挿入孔６３よりも左右方向の外側に位置する点が、最良の形態と異なる。左右の仕切壁１３３には、係合孔１３４が、貫通孔１２７および残渣孔１２８に連接して設けられる。振分機構１２９は、最良の形態に設けられておらず、この別の形態で設けられたものであって、機構ケース１３５、電磁ソレノイド１３６、ばね受座１３７、ばね１３８、プランジャ１３９、可動体１４０を備える。機構ケース１３５、電磁ソレノイド１３６、ばね受座１３７、ばね１３８、プランジャ１３９は、図４の機構ケース７３、電磁ソレノイド７４、ばね受座７５、ばね７６、プランジャ７８と同じ機能のものを使用する。可動体１４０は、前後方向に長い方形な板状である。可動体１４０の前後方向の中間部には、軸１４１が、可動体１４０から上下方向に同軸状に突出する。可動体１４０の後端部には、２個の連結突起１４２が、可動体１４０から上方に突出する。機構ケース１３５には、係合溝８５が設けられなくてもよい。カバー１２５は、前側に開口した箱形であって、左右の係合部１４３を、カバー１２５の左壁および右壁から前側に突出する。係合部１４３の前端部には、フック１４４が相対峙する方向に突出する。
【００２７】
振分機構１２９は、次のように組み立てられる。電磁ソレノイド１３６から延びた図外の配線が機構ケース１３５の左側壁７９と右側壁８０との間から上壁８１の後側を通過して機構ケース１３５の外側に引き出され、電磁ソレノイド１３６が機構ケース１３５の左側壁７９と右側壁８０と上壁８１および後壁８２で囲まれた空間に押し込まれて左側壁７９と右側壁８０と上壁８１および後壁８２に接触され、電磁ソレノイド１３６が機構ケース１３５の内部に装着される。これによって、機構ケース１３５が、外側から内側に向けて復元しようとする弾性力で、電磁ソレノイド１３６を脱落しないように支持する。そして、プランジャ１３９が、ばね１３８の内部からばね受座１３７のプランジャ挿入孔９２を経由して電磁ソレノイド１３６のプランジャ挿入孔９１に挿入された状態において、プランジャ１３９の鍔１０３における周縁の一部が２個の連結突起１４２の間に挿入され、可動体１４０が左側壁７９と右側壁８０との間に配置され、軸１４１が機構ケース１３５における延設部８３における軸受孔８６の開口を形成する部分を押し広げて軸受孔８６に嵌め込まれた後、当該延設部８３の開口を形成する部分が軸受孔８６の開口を狭める方向に復元することによって、軸１４１が軸受孔８６から抜けないように軸受孔８６に回転可能に装着される。これによって、ばね１３８がばね受座１３７と鍔１０３との間に圧縮された状態でプランジャ１３９を可動体１４０の方向に押し、プランジャ１３９がばね１３８による弾性作用下で可動体１４０に支持され、可動体１４０が左側壁７９と右側壁８０との間の空間に配置され、可動体１４０の前端部が機構ケース１３５よりも前側に突出し、振分機構１２９が図１０に示す形態に組み立てられる。図１０において、電磁ソレノイド１３６が電力の供給を受けてプランジャ１３９を吸引すると、可動体１４０が軸１４１を中心として矢印Ｘ１方向に移動し、上記電磁ソレノイド１３６への電力が遮断されると、プランジャ１３９がばね１３８で電磁ソレノイド１３６から突出し、可動体１４０が軸１４１を中心として矢印Ｘ２方向に移動する。
【００２８】
図１１に示すように、振分機構１２９が蓋部品６に取り付けられる。それには、振分機構１２９の可動体１４０が後部品３の後側から貫通孔１２７を経由して蓋体５９よりも前側に突出され、機構ケース１３５が後部品３の後側から仕切壁１３３の間の空間に挿入されて仕切壁１１５に接触するように押し込まれると、振分機構１２９が蓋部品６から後側に抜けないように蓋部品６に装着される。その後、カバー１２５の係合部１４３が蓋部品６の側に向けられ、フック１４４が蓋部品６の仕切壁１３３の左右方向の外側から係合孔１３４に係合し、振分機構１２９と蓋部品６とが互いに図１２に示す形態に組み立てられる。そして、後部品３に図１に示す前部品２と開閉部品４と軸支持部品５と蓋部品６と開閉機構７とが装着されると、２個の球検出器８を有する入賞部品１が完成する。この入賞部品１によれば、開閉部品４が図６に仮想線で示すように開き、図８に示す可動体１４０が電磁ソレノイド１３６への電力の供給で図８に実線示位置から矢印Ｘ１方向に移動して仮想線示位置に停止すると、図６の球入口１２から後部品３の内部に入った球が図８の振分突起１２６に衝突して可動体１４０の側に流れると、当該球は可動体１４０に衝突して真下に位置する右側の球検出器８の検出孔１０６から後部品３よりも下部に排出する。矢印Ｘ１方向に移動した可動体１４０が電磁ソレノイド１３６への電力の遮断で仮想線示位置から矢印Ｘ２方向に移動して実線示位置に停止すると、可動体１４０が振分突起１２６の前側への最も突出した前端部の真上に位置するので、後部品３の内部に入った球は可動体１４０に衝突して可動体１４０で左側の球検出器８の検出孔１０６から球出口１１１を経由して入賞部品１の外部に落下する。よって、一方の球検出器８をＶスイッチまたは特定入賞スイッチと呼ばれる開閉部品４の開閉を継続させるための継続スイッチとして用い、他方の球検出器８をカウントスイッチまたは普通入賞スイッチと呼ばれる開閉部品４の開放中に入賞部品１に取り込まれた球の個数を計数するための計数スイッチとして用いることができるという利点がある。
【００２９】
図１３乃至図１６は、電動チューリップと呼ばれる羽根部品１５４を有する入賞部品１５１を例示したさらに別の形態である。図１３は、入賞部品１５１を分解して示す。図１４は、入賞部品１５１の外観を前側から示す。図１５は、入賞部品１５１の外観を裏側から示す。図１６は、開閉機構１５５を分解して裏側から示す。
【００３０】
図１３乃至図１６を参照し、入賞部品１５１の構成部品について説明する。入賞部品１５１は、前部品１５２と後部品１５３と一対の羽根部品１５４と球検出器８と開閉機構１５５とが、止ねじを使用することなく、嵌め合いで、組み合わせられることで構成される。前部品１５２は、合成樹脂により、前面体１５６、短係合片１５７、長係合片１５８、後部品用フック１５９、後部品用フック１６０、検出器用フック１６１、位置決め突起１６２、位置決め孔１６３を一体に備えた形状に構成される。位置決め突起１６２は、前部品１５２と後部品１５３とを互いに組み合わせる場合の位置決めを行うため、短係合片１５７および長係合片１５８よりも外側下部において、前面体１５６の裏面から裏側に突出した棒状である。位置決め孔１６３は、前部品１５２と後部品１５３とを互いに組み合わせる場合の位置決めを行うため、短係合片１５７および長係合片１５８の真上において、前面体１５６に前後方向に貫通した孔である。後部品１５３は、合成樹脂により、取付体１６５、一対の支持体１６６；１６７、挿入孔１６８、取付孔１６９、溝１７０；１７１、下部入賞口１７２、下部球取入部１７３、下部球排出部１７４、一対の羽根軸１７５、一対の位置決め突起１７６、一対の位置決め孔１７７、一対の逃孔１７８、保護部１７９を一体に備えた形状に構成される。下部入賞口１７２は、支持体１６６；１６７よりも下部に位置し、１個の球の通過可能な大きさで、取付体１６５に前後方向に貫通する。下部球取入部１７３は、下部入賞口１７２の周囲を囲むように、取付体１６５の前面から前側に突出し、下部球取入部１７３の上方に形成された開口から下部球取入部１７３の内部に取り込んだ球を下部入賞口１７２に誘導するポケット形である。下部球排出部１７４は、下部入賞口１７２の周囲を囲むように、取付体１６５の裏面から後側に突出し、下部入賞口１７２から排出された球を後方に誘導する横樋形である。羽根軸１７５は、羽根部品１５４を個別に回転可能に支持するものであって、支持体１６６；１６７の真上に位置し、１個の球の通過可能な左右に相対峙する間隔で、取付体１６５の前面から前側に直線的に突出した丸棒である。位置決め突起１７６は、前部品１５２と後部品１５３とを互いに組み合わせる場合の位置決めを行うため、羽根軸１７５の前面から前側に同軸で直線的に突出した、羽根軸１７５よりも細い棒である。一対の位置決め孔１７７は、前部品１５２と後部品１５３とを互いに組み合わせる場合の位置決めを行うため、下部球取入部１７３より左右に位置し、取付体１６５に前後方向に貫通した孔である。逃孔１７８は、羽根部品１５４のリンク棒機構を通すため、一対の羽根軸１７５の周囲で羽根軸１７５を中心とした１つの円周上に個別に位置し、取付体１６５に前後方向に貫通した弧状の孔である。一対の羽根部品１５４は、左右に対称形であって、下部に軸受孔１８０を備える。保護部１７９は、羽根部品１５４に球が直撃するのを防止するために、羽根部品１５４よりも上部に位置し、取付体１６５の前面に、１個の球を上下方向に通過可能な貫通孔を囲むように、取付体１６５の前面の前側に突出した形態に設けられる。
【００３１】
図１３および図１４を参照し、前部品１５２と後部品１５３および羽根部品１５４の組立方について説明する。図１３において、羽根部品１５４の軸受孔１８０が後部品１５３の前側から位置決め突起１７６を経由して羽根軸１７５に個別に回転可能に嵌め込まれる。このように取り付けられた羽根部品１５４は、支持体１６６；１６７と干渉することなく、羽根軸１７５を中心として、取付体１６５の前面と平行で左右に開閉可能となる。その後、前部品１５２の位置決め突起１６２が後部品１５３の位置決め孔１７７に嵌め込まれ、前部品１５２の位置決め孔１６３が後部品１５３の位置決め突起１７６に嵌め込まれ、前部品１５２における長係合片１５８の検出器用フック１６１が後部品１５３の前側から一方の支持体１６７の溝１７１に挿入され、短係合片１５７の後部品用フック１５９および長係合片１５８の後部品用フック１６０が支持体１６６；１６７の溝１７０；１７１に挿入されて挿入孔１６８の周囲における取付体１６５の裏面に係合し、前面体１５６の裏面と支持体１６６；１６７の前面とが互いに接触し、図１４に示すように、前部品１５２と後部品１５３および羽根部品１５４とが互いに組み合わされる。
【００３２】
図１５を参照し、開閉機構１５５の構造について説明する。開閉機構１５５は、最良の形態の開閉機構７に類似するものであって、機構ケース１８１、電磁ソレノイド１８２、ばね受座１８３、ばね１８４、プランジャ１８５、可動体１８６を備える。機構ケース１８１、電磁ソレノイド１８２、ばね受座１８３、ばね１８４、プランジャ１８５は、図４の機構ケース７３、電磁ソレノイド７４、ばね受座７５、ばね７６、プランジャ７８と同じものを使用する。可動体１８６は、図１のばね受体９３、貫通孔９４、周壁９５、突起９６、ストッパ９７、プランジャ嵌合孔９８、延設部１０１、軸１０２に加え、左右一対のアーム部１８７、係合溝１８８を備える。アーム部１８７および係合溝１８８は、図１のアーム部９９および係合溝１００に相当する。そして、図１６に示すように、開閉機構１５５は、後部品１５３の裏面における機構取付部１６４の取り付けられ、左右一対のアーム部１８７の係合溝１８８が後部品１５３から裏側に突出した羽根部品１５４のリンク棒１９０に係合し、プランジャ１８５が電磁ソレノイド１８２の電力供給による吸引とばね１８４による突出とによって羽根部品１５４を開閉する。機構取付部１６４は、開閉機構１５５を裏側から嵌め込むことによって、開閉機構１５５を支持する構造であって、図１の機構取付部３３に相当する。
【００３３】
図１６において、球検出器８の前側が後部品１５３の裏側から挿入孔１６８に存在する短係合片１５７と長係合片１５８との間に挿入され、検出器用フック１６１が球検出器８のコネクタ１０９の設けられた側の裏面に係合する。これによって、球検出孔１０６が下部球取入部１７３と羽根部品１５４との間において、前面体１５６の裏面と取付体１６５の前面との間の隙間に配置され、球検出器８が羽根部品１５４と離れて干渉しない。このように球検出器８が装着されると、短係合片１５７および長係合片１５８が、球検出器８で内側に撓まないように支持されるとともに、支持体１６６；１６７で外側に撓まないように支持されるので、前部品１５２と後部品１５３と球検出器８とが互いに分離しないように組み合わせられ、入賞部品１５１が図１４および図１６に示す形態に組み立てられる。つまり、前部品１５２と後部品１５３と一対の羽根部品１５４と球検出器８と開閉機構１５５とが、止ねじを使用することなく、嵌め合いで、互いに組み合わせられることによって、入賞部品１５１が構成されるので、止ねじを操作するドライバーのような工具を使用する必要がなく、入賞部品１５１を簡単に組み立てることができるという利点がある。組み立てられた入賞部品１５１は、球検出器８が短係合片１５７と長係合片１５８とを内側に撓まないよう支持しているので、後部品用フック１５９；１６０と取付体１６５の裏面との係合が外れることがなく、また、検出器用フック１６１と球検出器８の裏面との係合が解除された後、球検出器８が後部品１５３の裏側に引き抜かれることによって、球検出器８が取り外せるという利点がある。
【図面の簡単な説明】
【００３４】
【図１】入賞部品を示す分解斜視図（最良の形態）。
【図２】後部品と前部品とを示す分解斜視図（最良の形態）。
【図３】前部品と後部品と開閉部品と軸支持部品との組立斜視図（最良の形態）。
【図４】開閉機構の分解斜視図（最良の形態）。
【図５】開閉機構と後部品とを示す分解斜視図（最良の形態）。
【図６】入賞部品の縦断面図（最良の形態）。
【図７】入賞部品を示す斜視図（最良の形態）。
【図８】後部品と蓋部品および球検出器を示す分解斜視図（別の形態）。
【図９】蓋部品と開閉機構と球検出器およびカバーを示す分解斜視図（別の形態）。
【図１０】開閉機構を示す斜視図（別の形態）。
【図１１】蓋部品とカバーとを示す分解斜視図（別の形態）。
【図１２】カバーの取り付けられた蓋部品を示す斜視図（別の形態）。
【図１３】入賞部品を示す分解斜視図（異なる別の形態）。
【図１４】入賞部品を示す斜視図（異なる別の形態）。
【図１５】入賞部品を裏側から示す斜視図（異なる別の形態）。
【図１６】開閉機構を示す分解斜視図（異なる別の形態）。
【符号の説明】
【００３５】
１      入賞部品
２      前部品
３      後部品
４      開閉部品
５      軸支持部品
６      蓋部品
７      開閉機構
８      球検出器
１１    前面体
１２    球入口
１４    係合部
２１    筐体
２８    前係合部
２９    後係合部
３０    軸支持係合部
３３    機構取付部
４３    扉
４５    軸
４６    リンク棒
４８    被覆体
５０    軸受孔
５２    係合部
５９    蓋体
６３    検出器挿入孔
６４    検出器支持部
６５    係合部
７３    機構ケース
７４    電磁ソレノイド
７６    ばね
７７    リンクプレート
７８    プランジャ
１０６  検出孔
１１２  検出器受溝
【図１】
2006167140.tif 000003
【図２】
2006167140.tif 000004
【図３】
2006167140.tif 000005
【図４】
2006167140.tif 000006
【図５】
2006167140.tif 000007
【図６】
2006167140.tif 000008
【図７】
2006167140.tif 000009
【図８】
2006167140.tif 000010
【図９】
2006167140.tif 000011
【図１０】
2006167140.tif 000012
【図１１】
2006167140.tif 000013
【図１２】
2006167140.tif 000014
【図１３】
2006167140.tif 000015
【図１４】
2006167140.tif 000016
【図１５】
2006167140.tif 000017
【図１６】
2006167140.tif 000018